(57)【要約】【課題】本発明は複数の人が打合せを行う場合の資料提供を効率良く行えることを課題とする。【解決手段】パネル状表示装置２０は、各参加者に対応する各データ表示領域１１０Ａ〜１１０Ｄを有する。各参加者は、自分の前に表示された各データ表示領域１１０Ａ〜１１０Ｄの表示データを見ながら意見交換することが可能になる。また、パネル状表示装置２０は、大型ディスプレイを用いた構成であり、且つ各人毎に設定された各データ表示領域１１０Ａ〜１１０Ｄでは、同一の表示データが表示され、情報を共有して議論することができる。【選択図】図１
2013175105.tif 000002
【特許請求の範囲】
【請求項１】
画像表示面を有する表示装置と、
前記画像表示面を内側から撮像する撮像手段と、
前記画像表示面に表示される複数の表示データを生成する表示データ生成手段と、
前記撮像手段により得られた撮像データに基づいて参加者が接触した位置を検出する接触位置検出手段とを備えた表示データ処理システムにおいて、
前記画像表示面に複数の表示領域を設定する表示領域設定手段と、
前記複数の表示データが記憶された記憶手段と、
前記接触位置検出手段により検出された位置に応じて前記記憶手段に記憶された複数の表示データの中から前記画像表示面の接触位置に対応する表示データを抽出するデータ抽出手段と、
前記データ抽出手段により抽出された当該表示データを前記表示領域設定手段により設定された複数の表示領域に前記画像表示面に表示する表示手段と、
を備えたことを特徴とする表示データ処理システム。
【請求項２】
請求項１に記載の表示データ処理システムであって、
前記接触位置検出手段により検出された当該表示データが参加者の操作により移動されたときの前記撮像手段からの撮像データによる移動位置情報に対応するデータ処理方法を判別する判別手段と、
前記判別手段により判別された前記データ処理方法で前記表示データを加工するデータ加工手段と、
前記データ加工手段により加工された当該表示データを前記参加者の操作により指定された出力形式で出力する表示データ出力手段と、
を備えたことを特徴とする表示データ処理システム。
【請求項３】
請求項１または２に記載の表示データ処理システムであって、
前記表示データ生成手段は、前記表示データに対応するタイトル又は識別マークを前記画像表示面の空きスペースに表示し、
前記判別手段は、前記表示データに対応するタイトル又はマークに前記参加者が接触した場合、前記複数の表示データの中から当該タイトル又はマークに対応する任意の表示データが選択されたものと認識することを特徴とする表示データ処理システム。
【請求項４】
請求項２または３に記載の表示データ処理システムであって、
前記データ加工手段は、前記表示データの表示位置が前記参加者の操作により移動された場合、当該表示データの移動方向、座標位置、移動速度を演算し、演算結果から得られた移動位置情報に基づいて当該表示データの移動後の位置が含まれる表示領域に予め登録されたデータ処理方法を当該表示データの処理方法として設定することを特徴とする表示データ処理システム。
【請求項５】
請求項２または３に記載の表示データ処理システムであって、
前記データ加工手段は、前記表示データの表示位置が前記参加者の操作により移動された場合、当該表示データを当該専用領域の参加者からみやすい向きに調整することを特徴とする表示データ処理システム。
【発明の詳細な説明】
【技術分野】
【０００１】
本発明は表示データ処理システムに係り、特に画像表示面に表示される複数の表示データの管理及び移動の操作を効率良く行えるよう構成された表示データ処理システムに関する。
【背景技術】
【０００２】
複数の人が集まって会議や打合せを行う場合、あるいは複数の顧客に対して顧客が要望する提案を説明するプレゼンテーションを行う場合には、プロジェクタやディスプレイ装置を用いて資料を投影または表示して説明を行っている。また、参加者の夫々にノート型パーソナルコンピュータ（PC）を用意して各PCのモニタに画像を表示して説明する方法もある。
【０００３】
例えば、結婚式を企画する場合、各式場の情報、披露宴で提供される料理の情報、ウエディング衣装の情報、新婚旅行の情報等を管理し、新郎新婦の要望に応じた企画を提案したり、あるいは各情報をデータベース化して希望する情報を検索することも可能にしている（例えば、特許文献１）。
【０００４】
また、企業における会議やプレゼンテーションを行う場合、各人がノート形のパーソナルコンピュータを持参し、且つプロジェクタのスクリーンに資料や写真を投射させて複数の人による意見交換も行われている。そして、会議の結論が決まると、パーソナルコンピュータを操作して会議の議事録を作成し、当該議事録を各参加者に印刷したり、ＬＡＮを介して電子データを転送し、会議の結果を各人が共有する。
【０００５】
また、医療機関においては、医師が患者の容体をみて必要な検査（血圧測定、血液型検査、頭部損傷の有無及び骨折の有無により患部のレントゲン撮影、CT撮影、MRI撮影など）を行い、その検査結果に基づいて診断を行っている（例えば、特許文献２参照）。
【０００６】
また、患者の病気あるいは怪我が重い場合には、複数の専門医がミーティングを行って治療方法（手術の有無や、手術方法等）を検討し、各医師の意見を交換する際、患部を撮影したX線写真や断層写真をカメラで撮像し、撮像された画像をスクリーンに表示させることで、複数の医師による診断が行われる。さらに、診断結果をまとめる際は、パーソナルコンピュータを操作して各専門医の意見と最終的に合意した診断結果、治療方針などをパーソナルコンピュータに保存している。
【先行技術文献】
【特許文献】
【０００７】
【特許文献１】特開２００２−４９７１０号公報
【特許文献２】特開２００８−５８５３３号公報
【発明の概要】
【発明が解決しようとする課題】
【０００８】
従来、複数の人が集まってプレゼンテーション等を行う場合、パーソナルコンピュータ（PC）のキーボードを操作して企画書、見積もり書、発注書、請求書などを作成し、それぞれ印刷したものを顧客に郵送していた。その際、多数の書類や写真などが混在すると、各書類作成に時間がかかり、企画から決済までの所要期間を短縮することが難しいという問題があった。
【０００９】
さらに、複数人で同一の資料を閲覧し、会議等する必要がある作業においては、各人のために印刷した資料、写真等を用意するには時間がかかっていた。また各人がそれぞれディスプレイを持って、共通の画面を見ている状態であったとしても、操作は一人ずつしか行うことができず、また、各人がそれぞれのディスプレイを見ている状態であるため、会話しづらく、効率的な意見交換を行うことが難しいという問題があった。
【００１０】
また、複数の医師が集まって診断、治療に関する意見交換を行う場合、複数の医師が複数のレントゲン写真やＣＤまたはＭＲＩの断層写真を同時にみれるように、複数の写真を整理して並べるのに手間かかり、しかも各写真が小さい場合もあり、各医師が患部の状態を把握するのに時間がかかるという問題がある。
【００１１】
そこで、本発明は上記事情に鑑み、上記課題を解決した表示データ処理システムの提供を目的とする。
【課題を解決するための手段】
【００１２】
上記課題を解決するため、本発明は以下のような手段を有する。
（１）本発明は、画像表示面を有する表示装置と、
前記画像表示面を内側から撮像する撮像手段と、
前記画像表示面に表示される複数の表示データを生成する表示データ生成手段と、
前記撮像手段により得られた撮像データに基づいて参加者が接触した位置を検出する接触位置検出手段とを備えた表示データ処理システムにおいて、
前記画像表示面に複数の表示領域を設定する表示領域設定手段と、
前記複数の表示データが記憶された記憶手段と、
前記接触位置検出手段により検出された位置に応じて前記記憶手段に記憶された複数の表示データの中から前記画像表示面の接触位置に対応する表示データを抽出するデータ抽出手段と、
前記データ抽出手段により抽出された当該表示データを前記表示領域設定手段により設定された複数の表示領域に前記画像表示面に表示する表示手段と、
を備えたことを特徴とする。
（２）本発明は、(１)に記載の表示データ処理システムであって、
前記接触位置検出手段により検出された当該表示データが参加者の操作により移動されたときの前記撮像手段からの撮像データによる移動位置情報に対応するデータ処理方法を判別する判別手段と、
前記判別手段により判別された前記データ処理方法で前記表示データを加工するデータ加工手段と、
前記データ加工手段により加工された当該表示データを前記参加者の操作により指定された出力形式で出力する表示データ出力手段と、
を備えたことを特徴とする。
（３）本発明は、(１)または(２)に記載の表示データ処理システムであって、
前記表示データ生成手段は、前記表示データに対応するタイトル又は識別マークを前記画像表示面の空きスペースに表示し、
前記判別手段は、前記表示データに対応するタイトル又はマークに前記参加者が接触した場合、前記複数の表示データの中から当該タイトル又はマークに対応する任意の表示データが選択されたものと認識することを特徴とする。
（４）本発明は、(２)または(３)に記載の表示データ処理システムであって、
前記データ加工手段は、前記表示データの表示位置が前記参加者の操作により移動された場合、当該表示データの移動方向、座標位置、移動速度を演算し、演算結果から得られた移動位置情報に基づいて当該表示データの移動後の位置が含まれる表示領域に予め登録されたデータ処理方法を当該表示データの処理方法として設定することを特徴とする。
（５）本発明は、(２)または(３)に記載の表示データ処理システムであって、
前記データ加工手段は、前記表示データの表示位置が前記参加者の操作により移動された場合、当該表示データを当該専用領域の参加者からみやすい向きに調整することを特徴とする。
【発明の効果】
【００１３】
本発明によれば、複数の参加者が集まって打合せや会議を行う際の資料提供を迅速に行うことが可能になり、記憶手段に格納された膨大なデータから任意のデータを効率良く提示することができる。
【図面の簡単な説明】
【００１４】
【図１】本発明による表示データ処理システムの一実施例を示す斜視図である。
【図２】パネル状表示装置の構成を示す縦断面図である。
【図３】パネル状入力装置の構成を示す分解縦断面図である。
【図４】パネル状入力装置の概略構成を示す分解斜視図である。
【図５】パネル状入力装置の検出原理を説明する図であり、（Ａ）は赤外線の軌道を模式的に示す図、（Ｂ）は赤外線の伝搬を模式的に示す図であり、（Ｃ）は指先で押圧したタッチポイントを検出する原理を示す図である。
【図６】表示データ処理システムの制御系統の構成を示すブロック図である。
【図７】並列表示モードの表示例を示す図である。
【図８】メイン制御部が実行するメイン制御処理を説明するためのフローチャートである。
【図９】本発明の表示データ処理システムがインターネットを介して他の機器と相互に通信可能であることを示す図である。
【発明を実施するための形態】
【００１５】
以下、図面を参照して本発明を実施するための形態について説明する。
【実施例１】
【００１６】
〔表示データ処理システムの概要〕
図１は本発明による表示データ処理システムの一実施例を示す斜視図である。図１に示されるように、表示データ処理システム１０は、画像表示面が上面となるように水平に配されたパネル状表示装置２０を有しており、パネル状表示装置２０の底部四隅には、四本の支柱３０が取り付けられている。
【００１７】
また、パネル状表示装置２０は、上面の画像表示面が後述するモード切替手段２５０により、液晶パネル４１の全面を一つのモニタとして各参加者が共用する共通表示モードと、各参加者ごとに専用のモニタを配するように各データ表示領域１１０Ａ〜１１０Ｄを並列に表示する並列表示モードとを切替えることが可能である。尚、パネル状表示装置２０は、業種に関わりなく使用することが可能であるが、ここでは、説明の便宜上、医療機関で使用する場合を例に挙げて以下説明する。
【００１８】
本実施例においては、並列表示モードが選択されると、各参加者（複数の医師）の前にデータ表示領域１１０Ａ〜１１０Ｄが表示される。各データ表示領域１１０Ａ〜１１０Ｄは、各医師Ａ〜Ｄの前に表示される各人専用のパーソナルコンピュータ（モニタ及びキーボード、マウスを有する）に相当しており、各医師Ａ〜Ｄが各データ表示領域１１０Ａ〜１１０Ｄに表示された患者のレントゲン写真やＣＴ（Computed Tomography）またはＭＲＩ（Magnetic Resonance Imaging）の断層写真などの検査結果及び報告書などの表示データを見ながら診断し、診療方法について意見交換（議論）することが可能になる。
【００１９】
また、パネル状表示装置２０は、複数の各医師Ａ〜Ｄが同時に診断を行えるように大型ディスプレイを用いた構成であり、集まった参加者の人数に合わせてデータ表示領域１１０の表示位置や数を任意に設定することが可能である。また、各人毎に設定された各データ表示領域１１０Ａ〜１１０Ｄでは、一のデータ表示領域１１０で表示された表示データを他のデータ表示領域１１０にも転送できるので、同一患者のレントゲン写真やＣＴまたはＭＲＩの断層写真等のデータを同時に表示することができる。そして、各医師Ａ〜Ｄは、その場で患者のデータ（検査結果）を共有して診断できると共に、それぞれの診断結果をデータ表示領域１１０に記入することが可能になる。
【００２０】
また、パネル状表示装置２０の画像表示面には、パネル状入力装置４０が形成されている。このパネル状入力装置４０の構成については、後述する。各医師Ａ〜Ｄは、夫々パネル状表示装置２０の周縁部に配された椅子５０に着席した状態で、画像表示面に表示された検査結果の画像に対して指先をパネル状入力装置４０に直接的に接触させながら操作することで、画像をコピーしたり、印刷したり、あるいは意見を記入することも可能である。
【００２１】
さらに、表示データ処理システム１０は、各医師Ａ〜Ｄがパネル状入力装置４０に指先を接触させるタッチポイントの移動を検出する検出手段を有している。尚、検出手段の詳細は、後述する。
【００２２】
また、図１では２人ずつ対面するように着席した場合を例に挙げたが、各参加者がパネル状入力装置４０の各４辺に分散するように着席した状態で、各人が互いに意見を出しながらリーダのタッチ操作によるオペレーションを実行することも可能である。
〔パネル状表示装置２０の内部構造について〕
図２はパネル状表示装置２０の構成を示す縦断面図である。尚、図２においては、説明の便宜上、水平方向の幅寸法と垂直方向の厚さ寸法との比率が変更されており、実際の製品は図２に示すものよりも、薄型化されている。
【００２３】
図２に示されるように、パネル状表示装置２０は、パネル状入力装置４０と、検出手段を構成する赤外線カメラ６０（撮像手段）と、バックライト７０とを有する。パネル状入力装置４０は、筐体１００の上部開口１０２に取り付けられている。また、赤外線カメラ６０は、パネル状入力装置４０の下面に対向するように筐体１００の底部中央に取り付けられている。
【００２４】
パネル状入力装置４０は、液晶パネル４１と、拡散フィルム４２と、入力板４３と、保護フィルム４４と、赤外線発光ダイオード４５と、赤外線発光ダイオード駆動基板４６と、支持ガラス板４７と、偏光手段４８とを有する。
【００２５】
また、筐体１００の底部には、上記赤外線カメラ６０の他に、バックライト７０と、スペーサ８０と、反射板９０とを備える。また、赤外線カメラ６０は、レンズ６２と、フィルタ６３と、固体撮像素子６４とを備える。バックライト７０は、シャーシ７１と、蛍光管７２と、反射板７３と、拡散板７４と、拡散フィルム７５と、フレーム７６とを備える。また、偏光手段４８は、入力板４３の下面に配された第１偏光板４８ａと、レンズ６２の周囲に配された第２偏光板４８ｂとよりなる。
【００２６】
図３はパネル状入力装置４０の構成を示す分解縦断面図である。図３に示されるように、パネル状入力装置４０は、液晶パネル４１と、入力板４３と、赤外線発光ダイオード４５と、支持ガラス板４７と、偏光板４８ａ、４８ｂとを備える。
【００２７】
液晶パネル４１は、上面ガラス基板２１と、液晶層２２と、下面ガラス基板２３とを備える。上面ガラス基板２１と下面ガラス基板２３との間に、液晶層２２が支持されている。
【００２８】
入力板４３は、液晶パネル４１よりも上方に設けられ、側面に赤外線発光ダイオード４５を備える。入力板４３は、透明なアクリル板であり、赤外線を伝搬する性質を有する。
【００２９】
入力板４３は、例えば３〜５〔ｍｍ〕程度の厚さで形成されてもよい。直方形形状の赤外線発光ダイオード４５の上面の長方形の辺の長さが、３〜５〔ｍｍ〕程度の場合が多いので、入力板４３は、赤外線発光ダイオード４５を側面に設置することが可能な、適切な厚さに設定されている。
【００３０】
入力板４３は、単独では非常に柔らかく、指先等の接触により、圧力が加わったときに、下方に沈んで変形する状態となり得るので、支持ガラス板４７により支持される。
【００３１】
赤外線発光ダイオード４５は、入力板４３の側面に設けられるが、光学的距離がゼロとなるように、光学的接触を保って設置されることが好ましい。また、赤外線発光ダイオード４５は、入力板４３の四方の周縁側面に、所定間隔を有して、複数個設けられている。このように、赤外線発光ダイオード４５が入力板４３の四方の各辺に複数個設置されることにより、入力板４３内に均一に赤外線を入射させることができる。
【００３２】
また、支持ガラス板４７は、液晶パネル４１を介して、下方から入力板４３を補強している。また、支持ガラス板４７は、下方からはバックライト７０からの光を透過し、上方からは入力板４３からの赤外線を透過する必要があるので、透明なガラスで構成される。
【００３３】
なお、最上面の入力板４３から最下面の支持ガラス板４７までの間に積層された各
層は、各境界面が密着した状態に一体的に構成される。
【００３４】
赤外線カメラ６０は、入力板４３に接触により入力された指先の痕跡を撮像するための撮像手段である。赤外線カメラ６０は、入力板４３より下方に配置されており、入力板４３から液晶パネル４１及び支持ガラス板４７を経て下方に出光された赤外線を受光し、入力板４３を裏面（下面）から撮像する。
【００３５】
尚、赤外線カメラ６０は、１台だけ設置されてもよいし、複数台設置されてもよい。
【００３６】
バックライト７０は、液晶パネル４１を背面から照らし、液晶パネル４１に画像が表示される明るさを保つ。
【００３７】
偏光板４８ａ、４８ｂは、一定方向の偏光成分の光のみを透過させる手段である。一般的に、偏光板４８ａ、４８ｂは、液晶パネル４１のおもて面、裏面に設けられるが、本実施例に係るパネル状入力装置４０においては、第１偏光板４８ａは液晶パネル４１のおもて面に設けられているが、第２偏光板４８ｂは、バックライト７０の表面に設けられている。そして、赤外線カメラ６０のレンズ６２の部分には開口が形成され、レンズ６２を覆わない形状に構成されている。第２偏光板４８ｂは、液晶パネル４１に画像を表示する際には必要となるが、入力板４３から発生する赤外線の拡散光を受光する際には、赤外線の信号量を減衰させてしまう。よって、バックライト７０から上方に発射される光については、第２偏光板４８ｂを経由し、入力板４３から下方に拡散される赤外線については、第２偏光板４８ｂを経由せずに赤外線カメラ６０のレンズ６２で直接受光ができるような構成となっている。
【００３８】
図４はパネル状入力装置４０の概略構成を示す分解斜視図である。図４に示されるように、医師Ａ〜Ｄが液晶パネル４１に表示された画像をみながら指先１２０でパネル状入力装置４０の入力板４３上面に接触する例が示されている。
【００３９】
赤外線カメラ６０は、指先１２０が入力板４３に接触することにより、入力板４３から拡散してくる赤外線Ｌの拡散光を検出する。そして、赤外線Ｌの拡散光を検出する赤外線カメラ６０により検出された画像データ（検出データ）に基づいて、入力板４３への入力位置（座標位置）が検出される。
〔指先の接触位置の検出方法〕
図５はパネル状入力装置４０の検出原理を説明する図であり、（Ａ）は赤外線の軌道を模式的に示す図、（Ｂ）は赤外線の伝搬を模式的に示す図であり、（Ｃ）は指先で押圧したタッチポイントを検出する原理を示す図である。
【００４０】
図５（Ａ）において、実線が赤外線Ｌの反射光であり、破線が透過光を示している。指先１２０の接触位置は、透過光が指先１２０により遮蔽され、下向きの透過光の強度が強くなって下方に透過している。このように、指先１２０が置かれた場所では、赤外線Ｌの伝搬の仕方が、指先１２０が置かれていない場所と異なる。よって、この赤外線Ｌの透過光の乱れ、つまり拡散光を検出することにより、指先１２０の接触位置（座標位置）を検出することができる。
【００４１】
図５（Ｂ）は、赤外線３５の伝搬の様子を、図５（Ａ）よりも実際の状態に近付けて示した原理説明図である。図５（Ｂ）において、赤外線入射手段としての赤外線発光ダイオード４５が用いられ、入力板４３には透明なアクリル板が用いられている。そして、入力板４３の側面から、赤外線Ｌが入射されている。入力板４３に入射された赤外線Ｌは、種々の方向に反射しながら入力板４３内を進行してゆく。このとき、指先１２０が入力板４３に接触すると、その箇所の赤外線Ｌが拡散され、入力板４３の下方面から見たとき、接触した部分だけが丸く見える状態となる。
【００４２】
図５（Ｃ）において、入力板４３が指先１２０によって押圧されると、前述した赤外線発光ダイオード４５からの赤外線Ｌの伝搬が変化するため、液晶パネル４１の下方に配された赤外線カメラ６０により、指先１２０の押圧部分が指先１２０の形状に対応する輪郭を有する患者が入力操作したタッチポイントの入力マークＭとして撮像される。従って、赤外線カメラ６０で撮像された検出データから光って見える部分を入力マークＭとして抽出することで、指先１２０の接触位置（座標位置）を検出できる。
〔表示データ処理システム１０の制御系統〕
図６は表示データ処理システム１０の制御系統の構成を示すブロック図である。図６に示されるように、表示データ処理システム１０の制御装置２００は、マイクロコンピュータからなるメイン制御部２１０と、表示制御部２２０と、記憶装置２３０とを有する。
【００４３】
メイン制御部２１０は、記憶装置２３０に予め記憶された各制御プログラムから選択された任意のプログラムを読み込んで表示制御部２２０に表示データを送出する表示データ生成手段２４０と、接触位置検出手段２５０と、データ抽出手段２６０と、表示領域設定手段２７０と、表示データ出力手段２８０と、モード切替手段２９０と、判別手段３００と、データ加工手段３１０と、データ出力切替手段３２０と、データ格納手段３３０とを有する。
【００４４】
表示制御部２２０は、表示データが入力されることにより、後述するように各参加者のタッチ操作によりパネル状入力装置４０に入力（指定）された所定の画像データを液晶パネル４１に表示する。
【００４５】
表示データ生成手段２４０は、参加者のタッチ操作により指定された項目の各表示データを生成し、当該表示データを表示制御部２２０に供給する制御プログラムである。
【００４６】
接触位置検出手段２５０は、前述した外線Ｌの透過光の乱れから指先１２０の接触位置（座標位置）を検出する制御プログラムである。
【００４７】
データ抽出手段２６０は、参加者がパネル状入力装置４０の画像表示面に接触した際のタッチポイント（接触位置検出手段２５０により検出された座標位置）に応じて記憶手段２３０に記憶された複数の表示データの中から画像表示面の接触位置（座標位置）に対応する表示データを抽出する。すなわち、データ抽出手段２６０は、参加者のタッチ操作により項目別リストの中から必要とするデータの画像番号、文書番号を選択し、指定されたデータを記憶装置２３０から抽出する制御プログラムである。
【００４８】
表示領域設定手段２７０は、参加者の人数が入力されると、液晶パネル４１の全面積を当該人数で割って表示面積を均等に分割し、人数に応じた表示範囲を設定する制御プログラムである。
【００４９】
表示データ出力手段２８０は、参加者により指定（入力）された出力手段としてプリンタ１３０、サーバ１４０に当該参加者が作成したデータ（画像データ、文章データを含む電子データ）を出力する。
【００５０】
表示データ出力手段２８０は、参加者が作成したデータ（画像データ、文章データを含む電子データ）を印刷領域に移動させると、当該データをプリンタ１３０に出力し、また参加者が作成したデータ（画像データ、文章データを含む電子データ）を通信領域に移動させると、当該データをサーバ１４０に出力し、指定されたメールアドレスに送信する。
【００５１】
モード切替手段２９０は、液晶パネル４１の全面を各参加者が共用する共通表示モードと、各参加者ごとに各データ表示領域１１０Ａ〜１１０Ｄを表示する並列表示モードとを切替えるように液晶パネル４１に表示される表示モードを切替える制御プログラムである。
【００５２】
判別手段３００は、接触位置検出手段により検出された当該表示データが参加者の操作により移動されたときの赤外線カメラ６０からの撮像データによる移動位置情報に対応するデータ処理方法を判別する制御プログラムである。また、判別手段３００は、表示データに対応するタイトル又はマークに参加者が接触した場合、複数の表示データの中から当該タイトル又はマークに対応する任意の表示データが選択されたものと判別する。
【００５３】
データ加工手段３１０は、判別手段２６０により判別されたデータ処理方法で表示データを加工する制御プログラムである。また、表示データ出力手段３２０は、データ加工手段３１０により加工された当該表示データを参加者のタッチ操作により指定された出力形式で出力する制御プログラムである。
【００５４】
データ加工手段３１０は、参加者のタッチ操作により表示データの表示位置が移動された場合、当該表示データの移動方向、座標位置、移動速度を演算し、演算結果から得られた移動位置情報に基づいて当該表示データの移動後の位置が含まれる表示領域に予め登録されたデータ処理方法を当該表示データの処理方法として設定する。また、データ加工手段３１０は、表示データの表示位置が参加者のタッチ操作により移動された場合、移動先の領域が各参加者毎の専用領域に指定されている場合、当該表示データを当該専用領域の参加者からみやすい向きに調整する制御プログラムである。
【００５５】
データ出力切替手段３２０は、表示データを参加者のタッチ操作により出力先をプリンタ１３０またはサーバ１４０に切替えるようにパネル状入力装置４０に入力されると、当該表示データの出力先を切替える制御プログラムである。
【００５６】
データ格納手段３３０は、参加者のタッチ操作により表示データを記憶装置２３０に保存するようにパネル状入力装置４０に入力されると、当該表示データを記憶装置２３０に格納する制御プログラムである。
〔並列表示モードの表示例〕
図７は並列表示モードの表示例を示す図である。図７に示されるように、データ表示領域１１０は、画像表示領域１１１と、文書表示領域１１２と、画像表示領域１１１及び文書表示領域１１２周囲に配されたインターネット領域１１３、メール送信領域１１４、メール受信領域１１５、プリンタ領域１１６、保存領域１１７、各人に転送領域１１８とを有する。
【００５７】
画像表示領域１１１は、レントゲン写真やＣＴまたはＭＲＩによる断層写真やコンピュータグラフィック（ＣＧ）による画像データ１５０などが表示され、画像データ１５０の周囲には画像をスクロールするための各操作釦１５２、表示された画像を拡大、縮小するズーム釦１５４、画像上に表示された十字状カーソルを移動させる十字キー１５６が表示される。さらに、画像データ１５０には、画像タイトル（画像Ｎｏ．○○○○）または識別マーク（アイコン）等のファイル識別領域１５８が付されており、参加者の指先が当該画ファイル識別領域１５８に接触して移動させると、その移動先の各領域（インターネット領域１１３、メール送信領域１１４、メール受信領域１１５、プリンタ領域１１６、保存領域１１７、各人に転送領域１１８）に対応した処理が行われる。
【００５８】
文書表示領域１１２は、画像表示領域１１１に表示された画像（表示データ）と組み合わされた文書データ１６０が表示され、文書データ１６０の手前には、文字入力するための各操作キー１６２と、テンキー１６４が表示される。さらに、文書データ１６０には、文書タイトル（文書Ｎｏ．○○○○）または識別マーク（アイコン）等のファイル識別領域１６６が付されており、参加者の指先が当該ファイル識別領域１６６に接触して移動させると、その移動先の各領域（インターネット領域１１３、メール送信領域１１４、メール受信領域１１５、プリンタ領域１１６、保存領域１１７、各人に転送領域１１８）に対応した処理が行われる。また、参加者がインターネット領域１１３をタッチ操作することでインターネットによる通信回線を介して各データ表示領域１１０Ａ〜１１０Ｄが他の場所に設置されたパネル状表示装置２０と通信可能に接続されてテレビ会議も可能になる。
〔メイン制御部２１０の制御処理〕
図８はメイン制御部２１０が実行するメイン制御処理を説明するためのフローチャートである。図８において、メイン制御部２１０は、液晶パネル４１の全面を各参加者が共用する共通表示モードと、各参加者ごとに専用の各データ表示領域１１０Ａ〜１１０Ｄを表示する並列表示モードとを切替えることが可能であり、Ｓ１１で参加者の人数が入力されると、液晶パネル４１の全面積を当該人数で割って表示面積を均等に分割し、人数に応じた表示範囲を設定する（表示領域設定手段）。
【００５９】
Ｓ１１において、参加者がパネル状入力装置４０にタッチ操作して参加者の人数（例えば、４名）を入力して並列表示モードが選択された場合、Ｓ１２に進み、選択された各表示モードの制御プログラムを記憶装置２３０から読み込む。そして、参加者の人数分（本実施例では、４名分）のデータ表示領域１１０A〜１１０D（図７に示す）を液晶パネル４１に表示すると共に、記憶装置２３０に格納された各データリストを表示させる。この場合、各参加者が夫々タッチ操作することが可能になり、各人が同じ情報を共有しながら互いに意見を主張することになる。液晶パネル４１に表示された各データ表示領域１１０Ａ〜１１０Ｄは、各参加者からみてみやすい向きの表示されており、対面する側とは１８０°反対の向きに表示される。
【００６０】
また、Ｓ１１において、参加者がパネル状入力装置４０にタッチ操作して共通表示モードが選択された場合、Ｓ１２では、一つのデータ表示領域１１０を表示する。この場合、複数の参加者（医師Ａ〜Ｄ）のうち一人がリーダとなり、他の参加者は表示画面に表示される同じ画像をみることになる。尚、共通表示モードが選択された場合の処理については、並列表示モードが選択された場合の各データ表示領域１１０Ａ〜１１０Ｄの一つのみを表示させることになるため、以下の処理における共通表示モードの説明は省略する。
【００６１】
次のＳ１３では、一人の参加者が任意の表示データ（当該患者の情報）を抽出するように入力板４３に指先１２０を接触させると、上記データリストの中から表示すべきデータを指定したことを検出し、データリストから選択された当該患者データを記憶装置２３０のデータベースから抽出して液晶パネル４１に表示する表示データを生成する（表示データ生成手段）。
【００６２】
続いて、Ｓ１４では、データベースから抽出された表示データを表示制御部２２０へ出力し、液晶パネル４１の各データ表示領域１１０Ａ〜１１０Ｄの画像表示領域１１１、文書表示領域１１２に表示する（表示データ出力手段）。これにより、各参加者は、データ表示領域１１０Ａ〜１１０Ｄに表示された同一の表示データをみることができるので、同じ表示データを共有して診断したり意見交換を行うことができる。
【００６３】
そして、Ｓ１５において、赤外線カメラ６０によって撮像されたパネル状入力装置４０の検出データにより各参加者（医師Ａ〜Ｄ）が液晶パネル４１に表示された表示データに対する入力操作を行うと、その参加者の指先１２０によるタッチポイントを赤外線カメラ６０の検出画像から読み取る。
【００６４】
さらに、Ｓ１６では、各参加者のタッチ操作によるタッチポイントの座標位置に基づいて、入力された情報を各データ表示領域１１０Ａ〜１１０Ｄの画像表示領域１１１、文書表示領域１１２に表示する。例えば、参加者が画像表示領域１１１に表示された画像（例えば血圧測定、血液型検査、頭部損傷の有無及び骨折の有無により患部のレントゲン写真、CT断層写真、MRI断層写真など）、あるいは文書表示領域１１２に表示された文書に対して意見を述べる共に、文書表示領域１１２の操作キー１６２を操作して入力したコメントを各データ表示領域１１０Ａ〜１１０Ｄの文書表示領域１１２に表示する。
【００６５】
次のＳ１７では、各データ表示領域１１０Ａ〜１１０Ｄに表示された表示データ（画像データ、文書データ）に対する移動操作が行われたか否かをチェックする。Ｓ１７において、各データ表示領域１１０Ａ〜１１０Ｄの何れかでファイル識別領域１５８、１６６に表示されたタイトルやマークに指先１２０を接触させて指先１２０を特定の方向にスライドさせる表示データ移動操作が有る場合（ＹＥＳの場合）、Ｓ１８に進み、参加者の指先１２０によるタッチ操作により指定された表示データ（画像データ、文書データ）を認識する。
【００６６】
次のＳ１９では、赤外線カメラ６０による検出データを読み込み、Ｓ２０で画像表示領域１１１、文書表示領域１１２に表示された表示データ（画像データ、文書データ）が移動操作された移動先が各領域（インターネット領域１１３、メール送信領域１１４、メール受信領域１１５、プリンタ領域１１６、保存領域１１７、各人に転送領域１１８）の何れかであるかを判別する。
【００６７】
続いて、Ｓ２１では、移動操作された移動先の領域に応じた処理を行う。例えば、Ｓ２１において、表示データが各データ表示領域１１０Ａ〜１１０Ｄに表示されたインターネット領域１１３に移動された場合は、掲示板への移動の確認がなされると、当該表示データがインターネット上の掲示板に転送される。また、表示データがメール送信領域１１４に移動された場合は、当該表示データが電子メールに添付され、送信先の入力がなされると、当該表示データを指定された送信先に送信する。また、表示データがプリンタ領域１１６に移動された場合は、当該表示データの印刷がプリンタ１３０により行われる。また、表示データが保存領域１１７に移動された場合は、当該表示データを記憶装置２３０のデータベースに格納する。また、表示データが転送領域１１８に移動された場合は、当該表示データを各参加者（医師Ａ〜Ｄ）のデータ表示領域１１０Ａ〜１１０Ｄに転送する。この場合、表示データに変更事項、追加事項が加入された表示データを各人に提供する際に転送領域１１８を使用する。
【００６８】
次のＳ２２では、移動操作による処理が完了したことを示すメッセージを表示して当該参加者に報知する。続いて、Ｓ２３に進み、赤外線カメラ６０による検出データを読み込み、Ｓ２４において、終了操作が行われたか否かをチェックする。Ｓ２４において、終了操作が行われていない場合（ＮＯの場合）Ｓ２５に進み、タッチ操作により新たな表示データが指定されたものと判断し、上記Ｓ１８に戻り、Ｓ１８以降の処理を行う。
【００６９】
また、Ｓ２４において、終了操作が行われた場合（ＹＥＳの場合）、今回の処理を終了する。このように、複数の参加者は、各人毎に表示された各データ表示領域１１０Ａ〜１１０Ｄにより、同一の画像表示領域１１１、文書表示領域１１２をみながら意見交換を行うことができると共に、会議の結果をタッチ操作により必要な加工（処理）を行うことも可能になる。また、従来のように会議を行う前に資料を印刷したり、必要な写真を並べたりする作業がなくなり、参加者が揃った時点で会議を開始することができ、会議開始から終了までの時間を大幅に短縮して、会議の効率を高めることも可能になる。
【００７０】
また、上記Ｓ１７において、移動操作が行われない場合（ＮＯの場合）、Ｓ２６に進み、画像表示領域１１１のズーム釦１５４がタッチ操作されたか否かをチェックする。Ｓ２６において、ズーム釦１５４がタッチ操作された場合（ＹＥＳの場合）、Ｓ２７に進み、当該表示データ（画像データ１５０）を拡大または縮小する。
【００７１】
また、Ｓ２６において、ズーム釦１５４がタッチ操作されなかった場合（ＮＯの場合）、あるいはＳ２７の後はＳ２８に進み、コピー操作が行われたか否かをチェックする。ここでは、例えば自分の画像表示領域１１１に表示されている画像データ１５０または文書データ１６０を他人に渡して見せる際に、自分の領域に表示されているものに１点でタッチしてスライドした時には、自分のところに表示されているものをそのまま移動させることができる。また、自分の画像表示領域１１１に表示されている画像データ１５０または文書データ１６０に左右の２点（２箇所）でタッチ操作して、例えば左手の指先（１点）は動かさないで表示されているものを押さえつつ、右手の指先（他の１点）をスライドさせた時には、自分のところに表示されているものを残したままで、コピーをスライドされた方向に移動させることが可能である。例えば、文書データ１６０が表示されている時に、その文書データ１６０の左端を左手で押さえながら、右端に右手でタッチしてスライドさせたら、自分のところの文書データ１６０は残って、コピーされた文書データ１６０が相手の前に差し出される。
【００７２】
Ｓ２８において、二つの指先１２０による二点接触が検出され、一方の接触点が停止し、他方の接触点がスライドした場合、コピー操作が行われたものと判断する。そのため、Ｓ２８において、画像表示領域１１１の画像データ１５０または文書データ１６０に対して指先１２０が二点接触させてスライド操作した場合（ＹＥＳの場合）、当該表示データの移動方向、座標位置、移動速度を演算し、演算結果から得られた移動位置情報に基づいて当該表示データの移動後の位置が含まれる表示領域に当該画像データ１５０または文書データ１６０のコピーを移動させる。このコピーされた表示データは、移動後の方向が対面する二人の場合は、１８０°反転させて見やすい向きにした状態で液晶パネル４１に表示させる。また、コピーされた表示データの移動先が隣りの席の場合には、表示データを反転させずに移動させる。この後は、上記Ｓ１５に戻り、Ｓ１５以降の処理を実行する。
【００７３】
上記実施例では、医療機関での診断や治療方法の打合せ（意見交換）を行う場合の表示データ処理システム１０について説明したが、これに限らず、結婚式の企画や新しいプロジェクトのプレゼンテーションなどにも本発明の表示データ処理システム１を用いて効率良く、会議や打合せを効率良く行うことが可能になる。
【００７４】
また、上記実施例以外にも、例えば顧客と打合せをしながら顧客へ提出する書類（企画書、見積もり書、発注書、請求書）の作成も可能であり、書類作成にかかる時間の短縮化を図ることも可能である。
【００７５】
図９は本発明の表示データ処理システムがインターネットを介して他の機器と相互に通信可能であることを示す図である。図９に示されるように、パネル状表示装置２０は、インターネット４００を介して他のパネル状表示装置２０Ａと通信可能に接続されことにより、異なる場所間でのテレビ会議を行うことも可能である。また、パネル状表示装置２０は、外部のパーソナルコンピュータ４１０とも通信可能であり、電子メールによるデータ交換もスムーズに行える。
【００７６】
また、パネル状表示装置２０は、携帯電話会社の基地局４２０を介してスマートホン４３０とも通信可能であり、各データ表示領域１１０Ａ〜１１０Ｄに表示された画像データ及び文書データを送受信することが可能である。
【００７７】
また、パネル状表示装置２０は、インターネット等の通信ネットワークにより外部ＰＣ４１０、またはスマートホン４３０、タブレットなどの携帯端末とビジネス情報（見積もりデータ、注文データ、請求データなど）の送受信を行うことも可能である。また、パネル状表示装置２０は、顧客との打合せ直後に画像表示面のタッチ操作によりプリンタ１３０からビジネス情報を印刷した見積もり書、注文書、請求書などの書類を出力してその場で顧客に必要な書類を手渡すこともできる。
【００７８】
ここで、変形例について説明する。
【００７９】
〔変形例１〕
各データ表示領域１１０Ａ〜１１０Ｄに、顧客の要望に応じたデータを検索する検索領域、各検索結果から抽出された各データの見積もりを行う見積もり領域、各データ（作業内容）を取引先に発注する送信領域、請求書を発行し相手先に送信する請求書領域、印刷領域、メール受信領域）を設定し、タッチ操作により見積もり及び発注を行えるように各操作領域を表示することも可能である。
【００８０】
〔変形例２〕
各データ表示領域１１０Ａ〜１１０Ｄに表示されたキーボードの操作釦１６２を操作して各案件毎の仕様書にデータ（作業内容）を入力し、仕様書のファイルを作成することも可能である。各ファイルには、文書、写真、図形、品質証明、過去の売買記録、顧客名など様々でデータが暗号化されて格納される。また、各ファイルの開封には、セキュリティチェックが設定されており、認証のためのパスワードの入力が要求される。
【００８１】
〔変形例３〕
各データ表示領域１１０Ａ〜１１０Ｄに表示される各ファイルは、パネル状入力装置４０の画像表示面にアイコンで表示され、アイコンにタッチすることで、ファイルのデータ（作業内容）を各頁ごとに表示することができる。また、各頁の記載内容は、各頁をめくるようにタッチ操作することで確認できる。また、ファイルの内容が確認されると、決済マークが付され、各ジャンル別のデータベースに登録される。
【００８２】
〔変形例４〕
各データ表示領域１１０Ａ〜１１０Ｄに表示されたキーボードの操作釦１６２を操作してキーワード検索を行って登録済みのファイルを読み出すと、画像表示面に当該ファイルのアイコンが表示される。当該アイコンにタッチしてスライドさせながらプリンタ領域１１６に運ぶと、当該ファイルが印刷される。尚、必要部数を指定すれば、自動的に指定部数が印刷される。
【００８３】
〔変形例５〕
各データ表示領域１１０Ａ〜１１０Ｄに表示されたキーボードの操作釦１６２を操作して検索を行う場合、記憶装置２３０には過去に表示したファイル毎の優先順位が登録されており、優先順位の高いものから順に表示する。あるいは、検索結果のリストを表示し、オペレータが必要なデータをリストの中から選択して希望とするファイルを抽出する。尚、各ファイルの優先順位は、例えば取引金額の大きい順、大口顧客順、作成した日付順等任意に設定できる。
【００８４】
〔変形例６〕
各データ表示領域１１０Ａ〜１１０Ｄに表示されたキーボードの操作釦１６２を操作してオペレータが画像表示面に表示された各ファイルのアイコンにタッチして送信領域に運ぶと、当該ファイルの電子データがインターネットを経由して指定した送信先（顧客または取引先）に送信される。
【００８５】
〔変形例７〕
各データ表示領域１１０Ａ〜１１０Ｄに表示された各ファイルのアイコンにタッチして見積もり領域に運ぶと、当該ファイルに入力された作業内容の見積もり書を作成する。当該見積もり書の電子データは、当該ファイルに登録される。
【００８６】
〔変形例８〕
各データ表示領域１１０Ａ〜１１０Ｄに表示されたアイコンにタッチして送信領域１１４に運び、送信先の電子アドレス帳を呼び出して電子アドレス帳の中からアドレスデータを選択すると、当該ファイルの電子データ（作業内容及び見積もりデータを含む）がインターネット４００を経由して指定した送信先（顧客または取引先）のアドレスに送信される。
【００８７】
〔変形例９〕
また、各データ表示領域１１０Ａ〜１１０Ｄに表示されたメール受信領域１１５にメールデータが受信されると、受信メールリストが画像表示面に表示される。参加者が受信メールリストにタッチすることで、当該受信メールのデータが表示され、パスワードを入力して添付ファイルのアイコンにタッチすると、各添付ファイルを開いて添付されたデータ内容が表示される。
【００８８】
〔変形例１０〕
複数のパネル状表示装置２０がサーバを介して通信可能に接続されると、各パネル状表示装置２０間でもデータの送受信が容易に行える。例えば営業部門のパネル状表示装置２０と研究部門のパネル状表示装置２０がＬＡＮまたはインターネットにより連携することも可能である。この場合、営業部門のパネル状表示装置２０で作成した企画書のファイルを研究部門のパネル状表示装置２０に送信し、研究部門のスタッフが意見交換しながら技術的な改良点を提案し、営業部門ではこの改良点がコスト的に可能かを検討する。従って、離れた場所でも多人数による相互の意見交換が可能となり、顧客への提案（企画）を短期間に行える。
【００８９】
〔変形例１１〕
また、異なる場所に設置された複数のパネル状表示装置２０を用いてオークションなど商品の売買を行うことも可能である。例えば、パネル状表示装置２０の中央に商品の３Ｄ画像を表示し、各参加者が金額を入力した入札カード（アイコン）をスライドさせて入札領域に投入する。入札領域に投入された入札カードのカード番号と金額が自動的に表示され、金額の大きい順にカード番号がランキング表示される。尚、オークションの場合、現物の商品（本物）を確認した上で決済処理（送金）を行う。
【００９０】
〔変形例１２〕
また、国債、社債等の債権や株、外国為替などの金融商品を扱うマーケットのパネル状表示装置２０では、パネル状表示装置２０に表示された各銘柄に対して表示された金額で売買することをタッチ操作により入力し、売買が成立した時点で登録された購入者の銀行口座より相手の口座に自動的に振り込みを行うことも可能である。尚、この場合、空売りを禁止すると共に、債権や株、外国為替の金額が常時変動するため、オペレータが画像表示面にタッチ操作した時点（瞬間）の相場（金額）によって決済処理を自動的に実行する。
【００９１】
〔変形例１３〕
パネル状表示装置２０の画像表示面に語学学習用教材として複数の単語カードが表示されており、複数人の生徒が一緒に、各単語カードを並べて変えて文章を作る。単語カードは、予め準備されたものを表示させても良いし、各人が自由に単語カードを作成しても良い。そして、文章が出来上がった生徒が、完成ボタンにタッチしたら、採点添削される。また、各単語を指先１２０でなぞると、その単語の発音がスピーカーから流れる。さらに、多数の単語カードを表示すると、原語または訳語で指定された１の単語に対して、表示されている。この場合、各生徒が複数の単語カードの中から、対応する正しい単語を選び出してタッチ操作する。タッチ操作した単語カードが正解の場合には、点数がカウントされることで、ゲーム感覚で語学学習ができる。
【符号の説明】
【００９２】
１０  表示データ処理システム
２０  パネル状表示装置
４０  パネル状入力装置
４１  液晶パネル
４２  拡散フィルム
４３  入力板
４４  保護フィルム
４５  赤外線発光ダイオード
４６  赤外線発光ダイオード駆動基板
４７  支持ガラス板
４８  偏光手段
４８ａ  第１偏光板
４８ｂ  第２偏光板
６０  赤外線カメラ
６２  レンズ
６３  フィルタ
６４  固体撮像素子
７０  バックライト
７１  シャーシ
７２  蛍光管
７３  反射板
７４  拡散板
７５  拡散フィルム
７６  フレーム
８０  スペーサ
９０  反射板
１００  筐体
１１０、１１０Ａ〜１１０Ｄ  データ表示領域
１１１  画像表示領域
１１２  文書表示領域
１１３  インターネット領域
１１４  メール送信領域
１１５  メール受信領域
１１６  プリンタ領域
１１７  保存領域
１１８  転送領域
１２０  指先
１３０  プリンタ
１４０  サーバ
１５０  画像データ
１５２  操作釦
１５４  ズーム釦
１５６  十字キー
１５８  ファイル識別領域
１６０  文書データ
１６２  操作キー
１６４  テンキー
１６６  ファイル識別領域
２００  制御装置
２１０  メイン制御部
２２０  表示制御部
２３０  記憶装置
２４０  表示データ生成手段
２５０  接触位置検出手段
２６０  データ抽出手段
２７０  表示手段
２８０  表示データ出力手段
２９０  モード切替手段
３００  判別手段
３１０  データ加工手段
３２０  データ出力切替手段
３３０  データ格納手段
【図１】
2013175105.tif 000003
【図２】
2013175105.tif 000004
【図３】
2013175105.tif 000005
【図４】
2013175105.tif 000006
【図５】
2013175105.tif 000007
【図６】
2013175105.tif 000008
【図７】
2013175105.tif 000009
【図８】
2013175105.tif 000010
【図９】
2013175105.tif 000011